(57)【要約】  【課題】  本などに取り付けたり本などから取り外したりできる取付具と、読みかけのページ間に挟む栞本体とを紐や鎖などの伸縮しない材料で連結した従来の栞においは、栞本体が自由に移動できないので、大変に不便であった。【解決手段】  本などに取り付けたり本などから取り外したりできる取付具１と、本などの用紙の間に挟み込む栞本体２と、取付具１と栞本体２とを連結する一部または全部が伸縮自在な部材からなる連結具３とで構成している。  【選択図】  図３
2008221823.tif 000002
【特許請求の範囲】
【請求項１】
本などに取り付けたり本などから取り外したりできる取付具と、本などの用紙の間に挟み込む栞本体と、前記取付具と前記栞本体とを連結する一部または全部が伸縮自在な部材からなる連結具と、で構成されたブックマーク。
【請求項２】
本などに取り付けたり本などから取り外したりできる取付具と、開口部のある袋を設けた、本などの用紙の間に挟み込む栞本体と、前記取付具と前記栞本体とを連結する一部または全部が伸縮自在な部材からなる連結具と、で構成されたブックマーク。
【請求項３】
一部または全部が伸縮自在な材料でできた、本などの開きを防止する開き防止具を前記栞本体あるいは前記連結具に設けた請求項１または請求項２に記載のブックマーク。
【請求項４】
本などに取り付けたり本などから取り外したりできる取付具と、開口部のある袋を設けた本などの用紙の間に挟み込む栞本体と、前記取付具と前記栞本体とを連結する伸縮自在ではないが折り曲げ自在な連結具と、で構成されたブックマーク。
【請求項５】
本などに取り付けたり本などから取り外したりできる取付具と、本などの用紙の間に挟み込む栞本体と、前記取付具と前記栞本体とを連結する伸縮自在ではないが折り曲げ自在な連結具と、前記栞本体あるいは前記連結具に設けてなる一部または全部が伸縮自在な材料でできた本などの開きを防止する開き防止具と、で構成されたブックマーク。
【発明の詳細な説明】
【技術分野】
【０００１】
本発明は、本などを閉じた後、その閉じたページを開く場合にすぐに開くことのできるブックマークに関するものである。
【背景技術】
【０００２】
紙や布や消しゴムやシートなどでできた栞本体に伸縮しない紐や鎖などを設けて、更にその紐や鎖などにクリップなどの取付具を設けて本などに栞本体を着脱自在としている物は従来から多数開示されている。
（例えば、特許文献１・特許文献２・特許文献３・特許文献４などである。）
【特許文献１】特開  昭５４−１２００３０号公報
【特許文献２】特開２００６−２１８８３７号公報
【非特許文献１】実開  昭５５−１８０４１号公報
【非特許文献２】実開  昭６１−１７５４７５号公報
【発明の開示】
【発明が解決しようとする課題】
【０００３】
特許文献１では、本などに取り付けたり本などから取り外したりできる固定板と、読みかけのページ間に挟む案内板と、を鎖でつないでいる。ところが鎖は伸縮性がないので、暗記用のカラーシートや拡大鏡レンズ付のシートなどをこの案内板として使用した場合には、見たい箇所へ案内板を移動したり、レンズのピントを合わせたりするのが困難で大変に不便である。また、鎖の長さを長くして案内板を自由に移動しやすくすると、こんどは本などから案内板が大きく垂れ下がり食み出してしまい、やはり使い勝手がよくないという欠点がある。
【０００４】
非特許文献１では、本の表紙に装着するための留め具と、栞本体と、を紐でつないでいる。暗記用のカラーシートやシートレンズなどを栞本体とした場合には、紐は伸び縮みしないので、使いにくく大変に不便である。また、紐の長さを長くするとこんどは本などから栞本体が大きく食み出してしまう。
【０００５】
非特許文献２では、ひも巻き取り装置と、はさみつけるクリップの付いた筆記具取付器と、をひもでつないでいる。ここでは、ひも巻き取り装置によってひもの長さを調整してひもを伸縮させる物で、その巻き取り装置は複雑で大かがりすぎて、小さい物を作るには困難で製作コストも高くなる。またこのひも巻き取り装置ではデザインをスッキリさせるためにも限度がある。
【０００６】
特許文献２では、クリップなどの留め具と、消字性に優れる材料と、を紐などの連結部材でつないでいる。しかし、レンズ付シートなどと留め具とを紐でつなぐと、紐は伸縮しないので使いにくくなる。また、紐の長さを長くするとこんどは本などから消字性に優れた材料でできた栞本体が大きく食み出してしまい使いにくくなる。
【０００７】
そこで、レンズや暗記用カラーシートやペンなど広範囲の移動を要求される栞本体を使い勝手のよい位置に自由に移動でき、かつ栞本体が比較的大きくても本などからの食み出しがないかあっても僅かであるためには、どうすればよいか色々考えた。更に、開いたページに、筆記具やノートや粘着付き付箋などが一諸にあったら大変に便利であるので、複数の機能を栞本体に持たせるにはどうしたらよいか、色々考えた。また、開示されている栞類は、本などに栞類を挟んだ後に本を閉じて鞄などに入れておくと本などが開いてしまうという問題もあったので、本が開かないようにするにはどうしたらよいかも考えた。
【０００８】
このような前記課題に着目して本発明はなされたものであって、本発明の主な目的は、次のような機能を持つブックマークの提供にある。そのブックマークの機能とは、本などに取り付けたり本から取り外したりできかつ本などの用紙の間に挟み込む栞本体が使いやすい位置で使用できること、色々な機能を栞本体に持たせること、栞本体を本などに挟んで本などを閉じた後に鞄などに入れても本が開くことの無いようにすること、である。
【課題を解決するための手段】
【０００９】
請求項１に記載のブックマークは、本などに取り付けたり本などから取り外したりできる取付具と、本などの用紙の間に挟み込む栞本体と、前記取付具と前記栞本体とを連結する一部または全部が伸縮自在な部材からなる連結具と、で構成されている。
【００１０】
請求項２に記載のブックマークは、本などに取り付けたり本などから取り外したりできる取付具と、開口部のある袋を設けた、本などの用紙の間に挟み込む栞本体と、前記取付具と前記栞本体とを連結する一部または全部が伸縮自在な部材からなる連結具と、で構成されている。
【００１１】
請求項３に記載のブックマークは、請求項１または請求項２に記載の構成の他に、更に一部または全部が伸縮自在な材料でできた、本などの開きを防止する開き防止具を前記栞本体あるいは前記連結具に設けている。
【００１２】
請求項４に記載のブックマークは、本などに取り付けたり本などから取り外したりできる取付具と、開口部のある袋を設けた本などの用紙の間に挟み込む栞本体と、前記取付具と前記栞本体とを連結する伸縮自在ではないが折り曲げ自在な連結具と、で構成されている。
【００１３】
請求項５に記載のブックマークは、本などに取り付けたり本などから取り外したりできる取付具と、本などの用紙の間に挟み込む栞本体と、前記取付具と前記栞本体とを連結する伸縮自在ではないが折り曲げ自在な連結具と、前記栞本体あるいは前記連結具に設けてなる一部または全部が伸縮自在な材料でできた本などの開きを防止する開き防止具と、で構成されている。
【発明の効果】
【００１４】
請求項１に記載のブックマークは、取付具を本などに着脱できるので一つの本などに固定せずに色々な本などに取り付けることができて、さらに連結具が伸縮するので伸縮可能な範囲まで栞本体は自由に移動でき、使用後には連結部が縮むので本などに収まる。更に、シートレンズや筆記具や暗記用カラーシートなどが栞本体として設けられている場合には、見たい箇所に簡単にそれらの栞本体が位置決めでき、またにシートレンズのピント合わせも簡単になるので、大変に便利である。更に、本の大きさや厚さが変わっても、用紙の間に挟み込む栞本体の大きさと、連結具の長さとの調整が不要となる。すなわち例えば文庫本などの大きさに合わせてレンズや暗記用カラーシートなどを栞本体としたブックマークを作成しておけば、比較的大きな本で使用する場合であっても、伸縮自在な連結具のおかげで、そのブックマークとしての機能が十分に発揮できる。
【００１５】
請求項２に記載のブックマークは、請求項１に記載のブックマークの機能の他に、開口部のある袋を栞本体に設けているので、例えばペンや付箋紙やメモ用紙などの色々な小さな物がその袋に入れられるという利点がある。開いたページにメモ用紙や付箋紙やペンやその他小物が使用者にとって必要とする物であれば、すぐにその場で処理ができるので非常に便利である。袋の中にそれらの色々な物を入れることで、色々な機能を栞本体に持たせることができる。
【００１６】
請求項３に記載のブックマークは、請求項１あるいは請求項２に記載のブックマークの機能の他に、更に、本などの開きを防止するための一部または全部が伸縮自在な開き防止具を栞本体あるいは連結部に設けているので、本などのページに栞本体を挟んだ後に本などを閉じてから、その本などの外側をぐるりと開き防止具を被せることにより、その閉じた本を鞄などに入れてもその本は開かなくなるという利点がある。
【００１７】
請求項４に記載のブックマークは、取付具を本などに着脱できるので一つの本などに固定せずに色々な本などに取り付けることができて、さらに伸縮自在ではないが折り曲げ自在な連結具で取付具と栞本体が連結されているので、栞本体はその連結部の長さの範囲内で自由に移動できる。更に、開口部のある袋を栞本体に設けているので、例えばペンや付箋紙やメモ用紙などの色々な物がその袋に入れられるという利点がある。開いたページにメモ用紙や付箋紙やペンやその他小物が使用者にとって必要とする物であれば、すぐにその場で処理ができるので非常に便利である。袋の中にそれらの色々な物を入れることで、色々な機能を栞本体に持たせることができる。
【００１８】
請求項５に記載のブックマークは、取付具を本などに着脱できるので一つの本などに固定せずに色々な本などに取り付けることができて、さらに伸縮自在ではないが折り曲げ自在な連結具で取付具と栞本体が連結されているので、栞本体はその連結部の長さの範囲内で自由に移動できる。更に、本などの開きを防止するための一部または全部が伸縮自在な開き防止具を栞本体あるいは連結部に設けているので、本などのページに栞本体を挟んだ後に本などを閉じてから、その本などの外側をぐるりと開き防止具を被せることにより、その閉じた本を鞄などに入れてもその本は開かなくなるという利点がある。
【発明を実施するための最良の形態】
【００１９】
本発明の実施例を以下に図面で説明するが、それら図面に限定されるものではない。
【実施例１】
【００２０】
実施例１を、図１と図２とに基づいて説明する。図１は実施例１のものの斜視図である。取付具１は、手で曲げられる程度の弾性を持つコの字状のプラスチック板の上からコの字状に曲げた弾性金属板を被せた二重クリップを使用している。その取付具１には、連結具３を取り付けるための連結穴１ｃを設けている。この連結具３は、伸縮自在な材料製の伸縮紐で作成されていて、その紐の両端は輪状となっている。栞本体２は、暗記用に使用される透明カラーシートであって、そのカラーシートの端近傍に連結穴２ａを設けている。そして、取付具１の連結穴１ｃと栞本体２の連結穴２ａとに、連結具３の両端にある輪状部分を通してブックマークとしている。
図２は、実施例１のブックマークの使用状態を示した斜視図である。取付具１を本５に取り付けて、暗記用カラーシートでできた栞本体２をページの間に挟む状態を示している。この暗記用カラーシートでできた栞本体２を使う場合には、ページを開いてから、色の付いた文字が印刷されている暗記する箇所に暗記用カラーシートである栞本体２を移動する。連結具３が伸縮自在であるから、開いたページの暗記する箇所に自由に栞本体２を移動して使える。また本５に取り付けた取付具１は取り外して、その他の本や手帳などに付けて同じように利用できる。
【実施例２】
【００２１】
実施例２について、図３と図４に基づいて説明する。図３は、実施例２のブックマークの斜視図である。取付具１は、実施例１と同じ物を使用している。連結部３は、プラスチック製の伸縮自在なスプリング３ａの両端に輪状にした伸縮しない紐３ｂをそれぞれ設けている。
この栞本体２は透明なプラスチックシートでできたもので、横に長い四角い透明なプラスチックシートのほぼ中心に折線２ｄを設け、折線２ｄから左側のシートには、プラスチックシートを重ねて、物の出し入れをするための開口部２ｅ１を折線２ｄ側に設けた袋２ｅを設けている。また折線２ｄの右側のシートにも袋２ｆを設けていて、折線２ｄ側を開口部２ｆ１としている。更に、折線２ｄから右側のシートには折線２ｄの近傍でかつシートの上縁近くに貫通した連結穴２ａを、更に袋２ｆの外縁近くに貫通した開き防止具穴２ｂを設けて、その開き防止具穴２ｂに伸縮自在な輪状のゴムでできた開き防止具４を取り付けてある。更に袋２ｆを構成しているシートに細長い筆記具保持穴２ｃを設けている。この実施例では、この筆記具保持穴２ｃに筆記具６を差し込んで取り付けてある。
図４は、実施例２の使用状態図である。取付具１を本５の表紙に取り付けて、必要なページに栞本体２を挟んでから、伸縮自在な開き防止具４を本の外側にぐるりと横に回して、本５を開かないように閉じている。連結具穴２ａと開き防止具穴２ｂの位置はどこに設けてもよいが、縁の近くが使いやすい。この図２では栞本体２はページの間に隠れて見えない。
【実施例３】
【００２２】
図５は、実施例３の斜視図である。取付具１と連結具３は、実施例２と同じ物を使用している。実施例３の栞本体２は、透明なプラスチックシートでできていて、その一部にシートレンズ７を成形している。更に、連結穴２ａと開き防止具穴２ｂをプラスチックシートの縁の右下側に設けて、その開き防止穴２ｂには伸縮自在な輪状であるゴム製の開き防止具４を設けている。この場合には、開き防具４は本５の外側を縦にぐるりと回して使用すると使いやすい。
使用するときは、本５のページの間に挟んでブックマークとして使用し、更に文字などを拡大して見ることもできる。連結具３が伸縮自在なので拡大する必要のある位置まで自由に移動できる。更に、開き防止具４で本５を閉じているときに鞄などに入れても本５が開くことがなくなる。
【００２３】
なお、本発明は前述した実施形態に限るものではなく、次のような変形実施が可能である。
実施例２と実施例３においては、連結部はプラスチック製の伸縮自在なスプリングの両端に輪状にした伸縮しない紐をそれぞれ設けている。ところが、移動性能は若干落ちる事になるけれども、伸縮自在ではないが折り曲げ自在な紐類や鎖類やなどを連結部として利用してもよい。
また、実施例２と実施例３において、本の開きを防止する開き防止具として伸縮自在な輪状のゴムを使用しているが、輪状だけでなく、十字状になった輪状のゴムなどを用いることで、本や手帳などの表紙の上から十字状に留めることができるので、更に栞本体である袋に入れた物が落ちにくくなる。さらに開き防止具として強めたり緩めたりできるバンドなどを使用することも可能である。また、これらの実施例２と実施例３においては、開き防止具を栞本体に設けているが、連結部に設けてもよい。
また、これらのブックマークにおける形状や材料は色々なものが可能である。さらに栞本体としては、色々な機能が付加できる。例えば、香りを付けたり、筆記具を付けたり、小さな薄手のノートを付けたり、粘着付き付箋を付けたり、できる。本などに取り付けたり本から取り外しできたりする取付具として実施例では二重クリップ使っているが、その他のクリップでもよい。栞本体及び取付具を連結具に付ける手段としては、いろいろな物が使える。例えば、接着・溶着または取り外しが簡単なフック式のものでもよい。袋の開口部の位置なども色々な箇所が考えられる。また開口部をファスナーなどにして開閉自在としてもよい。実施例においては、袋が二箇所にあるが、一箇所であってもよい。
さらに、これらのブックマークは、取付具や栞本体の形状を変えたり色々な印刷をすることで、宣伝媒体として利用できる。
【図面の簡単な説明】
【００２４】
【図１】実施例１の斜視図である。
【図２】実施例１の使用状態の斜視図である。
【図３】実施例２の斜視図である。
【図４】実施例２に使用状態の斜視図である。
【図５】実施例３の斜視図である。
【符号の説明】
【００２５】
１      取付具
１ａ    プラスチック板
１ｂ    金属板
１ｃ    連結穴
２      栞本体
２ａ    連結穴
２ｂ    開き防止具穴
２ｃ    筆記具保持穴
２ｄ    折線
２ｅ    袋
２ｅ１  開口部
２ｆ    袋
２ｆ１  開口部
３      連結具
３ａ    スプリング
３ｂ    紐
４      開き防止具
５      本
６      筆記具
７      シートレンズ
【図１】
2008221823.tif 000003
【図２】
2008221823.tif 000004
【図３】
2008221823.tif 000005
【図４】
2008221823.tif 000006
【図５】
2008221823.tif 000007